(57)【要約】  【課題】  モバイル通信における基地局装置と端末装置との間でのコンテンツデータの送受信を中継することにより，パソコン等の端末の使用場所の制約による不便さを解消するとともに，通信に要する利用者の待ち時間を短縮すること。  【解決手段】  基地局装置２０との通信及び情報端末３０との通信に関する通信設定情報を記憶する通信設定情報記憶手段１５と，通信設定情報に基づき基地局装置２０と無線通信を行う無線通信手段１１及び同じく情報端末３０と有線通信を行う有線通信手段１２と，基地局装置２０及び情報端末３０との間で送受信するコンテンツデータを一時記憶するデータ記憶手段１６と，有線通信手段１２及び無線通信手段１１それぞれによる通信が可能なときに，情報端末３０及び基地局装置２０それぞれとデータ記憶手段１６との間でコンテンツデータの伝送処理を行う制御手段と，各手段への電力供給手段１７とを具備する携帯通信装置Ｘ。【選択図】  図１
2005057587.tif 000002
【特許請求の範囲】
【請求項１】
携帯可能に構成され，所定の基地局装置及び所定の端末装置それぞれとの間で通信を行う携帯通信装置であって，
前記基地局装置との通信及び前記端末装置との通信に関する通信設定情報を記憶する通信設定情報記憶手段と，
前記通信設定情報に基づいて前記基地局装置との間で無線により又は有線接続されることにより通信を行う第１の通信手段と，
前記通信設定情報に基づいて前記端末装置との間で無線により又は有線接続されることにより通信を行う第２の通信手段と，
前記基地局装置及び／又は前記端末装置との間で送受信されるコンテンツデータを一時記憶するデータ記憶手段と，
前記第２の通信手段による通信が可能なときに該第２の通信手段を介して前記端末装置と前記データ記憶手段との間でコンテンツデータを伝送する処理及び／又は前記第１の通信手段による通信が可能なときに該第１の通信手段を介して前記基地局装置と前記データ記憶手段との間でコンテンツデータを伝送する処理を行う制御手段と，
当該携帯通信装置を構成する各手段に電力を供給する電源と，
を具備してなることを特徴とする携帯通信装置。
【請求項２】
前記第１の通信手段が無線通信手段であり，
前記制御手段が，前記無線通信手段における受信電界強度を監視してこれに基づき通信可能か否かを判別し，通信可能と判別しているときに前記通信設定情報に基づく無線通信を自動的に実行する制御を行うものである請求項１に記載の携帯通信装置。
【請求項３】
前記第２の通信手段が有線通信手段であり，
前記制御手段が，前記有線通信手段に接続される通信線の接続抵抗値を監視してこれに基づき通信可能か否かを判別し，通信可能と判別しているときに前記通信設定情報に基づく有線通信を自動的に実行する制御を行うものである請求項１又は２のいずれかに記載の携帯通信装置。
【請求項４】
前記第２の通信手段が有線通信手段であり，該有線通信手段が通信線により前記端末装置と接続されている場合に，前記端末装置から前記通信線を介して当該携帯通信装置への電力供給を受ける受電手段を具備してなる請求項１〜３のいずれかに記載の携帯通信装置。
【請求項５】
前記電源が，前記受電手段による受電電力により充電されるものである請求項４に記載の携帯通信装置。
【請求項６】
時間を計時する計時手段と，
前記計時手段の計時結果に基づいて所定の時間帯に前記第１の通信手段への電力供給及び該第１の通信手段による通信に関する処理を停止させる電力供給等制御手段と，
を具備してなる請求項１〜５のいずれかに記載の携帯通信装置。
【請求項７】
前記通信設定情報記憶手段が不揮発性メモリからなり，前記データ記憶手段が前記電源からの給電により記憶が保持される揮発性メモリからなる請求項１〜６のいずれかに記載の携帯通信装置。
【請求項８】
前記基地局装置との通信結果に関する情報を表示する基地局通信結果表示手段を具備してなる請求項１〜７のいずれかに記載の携帯通信装置。
【請求項９】
前記第１の通信手段及び／又は前記第２の通信手段が，ＩＳＭ帯での無線通信手段である請求項１〜８のいずれかに記載の携帯通信装置。
【請求項１０】
前記通信設定情報を前記第１の通信手段を介して前記端末装置から取得して前記通信設定情報記憶手段に記憶させる設定情報取得手段を具備してなる請求項１〜９のいずれかに記載の携帯通信装置。
【発明の詳細な説明】
【技術分野】
【０００１】
本発明は，モバイル通信における基地局装置と端末装置との間でのコンテンツデータの送受信を，そのコンテンツデータを一時蓄積することによって中継する携帯通信装置に関するものである。
【背景技術】
【０００２】
近年，駅や喫茶店等の出先において無線ＬＡＮ通信によりアクセスポイント（基地局装置の一例）を介してインターネット等のネットワークへ接続し，電子メール（コンテンツデータの一例）の送受信やホームページ（コンテンツデータの一例）の閲覧を行うことができる公衆無線スポットサービスの提供や，駅等に設置される情報キオスク（基地局装置の一例）に無線或いは有線により通信接続して音楽データ等のコンテンツの配信を受けることができるコンテンツ配信サービスの提供等のモバイル通信環境が整備されつつある。
従来，このようなモバイル通信環境を利用するためには，モバイル通信が可能な場所において，無線ＬＡＮカード等の通信インターフェース（Ｉ／Ｆ）を装着したパーソナルコンピュータ（パソコン）やＰＤＡ等の端末（端末装置）を用いて最寄りの基地局装置（アクセスポイントや情報キオスク等）に通信接続していた。ここで，端末としてＰＤＡや携帯電話等の小型の携帯端末を用いる場合には，データ入力やコンテンツデータの表示サイズ，処理能力等において制約が多い。このため，送信メール（コンテンツ）の作成や受信コンテンツの利用の際にノートパソコン等の比較的サイズの大きい端末を用いたい場合も多い。
一方，特許文献１には，無線ＬＡＮカードに無線ＬＡＮ通信網への接続に必要な情報（通信プロトコル等のネットワークに関する設定情報や，通信確立に用いるユーザＩＤやパスワード等の個人情報）の記憶部及びその情報を用いて通信接続を自動処理する無線通信ＣＰＵを設けた通信装置が示されている。これにより，その無線ＬＡＮカードを装着したパソコン（外部制御機器）を用いれば，無線ＬＡＮ通信網への接続を行う際に，ユーザがパソコンからユーザＩＤやパスワード等を通信接続の都度入力する手間が省け，簡便なネットワーク接続が可能となる。
【特許文献１】特開２００１−７７８７８号公報
【発明の開示】
【発明が解決しようとする課題】
【０００３】
しかしながら，パソコン等の端末は歩行中には使用できず，また，基地局装置と通信可能な場所において端末を使用できるテーブル等の使用場所を確保できるとも限らないため，ユーザはパソコン等の端末の使用可能な場所を探さなければならないという不便さ（問題点）があった。
また，ユーザが端末を使用したい（使用できる）ときに基地局装置が最寄りに存在しないことや，出先で端末を使用できる建物の中等では無線電波が届かないことも多く，ユーザが端末を使用したい（できる）場所で基地局装置にアクセスできないミスマッチが発生しやすいという問題点もあった。
さらに，端末の使用場所を確保して端末を起動してから基地局装置への通信接続を開始するため，通信接続の確立やコンテンツ（電子メール，ホームページ，音楽データ等）の送受信が行われている間ユーザに待ち時間が生じ，時間効率が悪いという問題点もあった。
以上の問題点は，特許文献１に示される技術を用いても解消できない。
従って，本発明は上記事情に鑑みてなされたものであり，その目的とするところは，モバイル通信における基地局装置と端末装置との間でのコンテンツデータの送受信を中継することにより，パソコン等の端末の使用場所の制約による不便さを解消するとともに，通信に要する利用者の待ち時間を短縮する携帯通信装置を提供することにある。
【課題を解決するための手段】
【０００４】
上記目的を達成するために本発明は，携帯可能に構成され，所定の基地局装置及び所定の端末装置それぞれとの間で通信を行う携帯通信装置であって，前記基地局装置との通信及び前記端末装置との通信に関する通信設定情報を記憶する通信設定情報記憶手段と，前記通信設定情報に基づいて前記基地局装置との間で無線により又は有線接続されることにより通信を行う第１の通信手段と，前記通信設定情報に基づいて前記端末装置との間で無線により又は有線接続されることにより通信を行う第２の通信手段と，前記基地局装置及び／又は前記端末装置との間で送受信されるコンテンツデータを一時記憶するデータ記憶手段と，前記第２の通信手段による通信が可能なときに該第２の通信手段を介して前記端末装置と前記データ記憶手段との間でコンテンツデータを伝送する処理及び／又は前記第１の通信手段による通信が可能なときに該第１の通信手段を介して前記基地局装置と前記データ記憶手段との間でコンテンツデータを伝送する処理を行う制御手段と，当該携帯通信装置を構成する各手段に電力を供給する電源と，を具備してなることを特徴とする携帯通信装置として構成されるものである。
以上のような構成により，前記端末装置の利用者は，該端末装置を利用できる任意の場所（前記基地局装置との通信可否に関わらない場所やタイミング）において，前記基地局装置を介して取得したいコンテンツデータの取得先や送信したいコンテンツデータの送信先等に関する情報を前記通信設定情報として設定し，さらに，当該携帯通信装置（の前記データ記憶手段）に前記基地局装置を介して送信したいコンテンツデータを転送しておけば，当該携帯通信装置を携帯して移動中或いは移動先において，所望のコンテンツデータの取得（前記データ記憶手段へのダウンロード）及びコンテンツデータの送信を前記端末装置を用いることなく行うことが可能となる。
その結果，利用者は，前記端末装置を利用できる任意の場所において，当該携帯通信装置に一時記憶されたコンテンツを利用等（再生，編集等）することが可能となり，前記基地局装置と通信可能な場所において前記端末装置を使用できるテーブル等の使用場所を探さなければならないという従来の不便が解消される。
さらに，前記通信設定情報が記憶されているので，通信するごとに通信確立に必要な操作（接続先指定やユーザＩＤ・パスワードの入力等）を行う必要がなく，前記端末装置の使用場所を確保して該端末装置を起動した時点では，既に基地局装置との間でのコンテンツデータの送受信は終了しているので，利用者にとって無駄な待ち時間が生じるという従来の問題が解消される。
【０００５】
また，前記第１の通信手段が無線通信手段であり，前記制御手段が，前記無線通信手段における受信電界強度を監視してこれに基づき通信可能か否かを判別し，通信可能と判別しているときに前記通信設定情報に基づく無線通信を自動的に実行する制御を行うものが考えられる。
これにより，利用者が当該携帯通信装置を携帯して前記基地局装置の通信エリア内を移動するだけで，前記基地局装置との間でのコンテンツデータの送受信が自動的に実行される。
同様に，前記第２の通信手段が有線通信手段であり，前記制御手段が，前記有線通信手段に接続される通信線の接続抵抗値を監視してこれに基づき通信可能か否かを判別し，通信可能と判別しているときに前記通信設定情報に基づく有線通信を自動的に実行する制御を行うものも考えられる。
これにより，前記端末装置から通信開始のための操作を行う手間が省ける。
【０００６】
また，本発明に係る携帯通信装置は，当該装置単独で携帯されるため，前記電源（バッテリ）の持続時間が短いと利便性が損なわれる。このため，前記電源の持続時間を長くすることが重要となる。
そこで，前記第２の通信手段が有線通信手段であり，該有線通信手段が通信線により前記端末装置と接続されている場合に，前記端末装置から前記通信線を介して当該携帯通信装置への電力供給を受ける受電手段を具備するものであれば，前記電源の持続時間を長くすることができる。さらに，前記電源が，前記受電手段による受電電力により充電されるものであればなお好適である。
また，省電力対策として，時間を計時する計時手段と，前記計時手段の計時結果に基づいて所定の時間帯に前記第１の通信手段への電力供給及び該第１の通信手段による通信に関する処理を停止させる電力供給等制御手段と，を具備するものも考えられる。
これにより，例えば深夜等，通常は移動しない時間帯に前記第１の通信手段による通信を停止させるようにすれば，省電力化が図れる結果，前記電源の持続時間を長くすることができる。
【０００７】
また，前記通信設定情報記憶手段が不揮発性メモリからなり，前記データ記憶手段が前記電源からの給電により記憶が保持される揮発性メモリからなるものが考えられる。
また，前記通信設定情報記憶手段は，それに記憶される前記通信設定情報の情報量は比較的少なくそのアクセス及び更新の頻度も低いので，高速性は要求されない一方，消失すると再設定が手間であるため，比較的低速ではあるが，電力供給が途絶えても記憶が維持されるよう，不揮発性メモリを用いることが好適である。
一方，前記データ記憶手段は，アクセス及び更新の頻度が高く，データ容量も大きくなりがちなコンテンツデータが記憶されるので，一般的に高速に読み書きすることが可能な揮発性メモリを用い，前記電源からの給電により記憶が保持されるよう構成することが好適である。
【０００８】
また，前記基地局装置との通信結果に関する情報を表示する基地局通信結果表示手段を具備するものであれば，通信状況を把握しやすく便利である。
また，前記第１の通信手段及び／又は前記第２の通信手段が，ＩＳＭ帯（２．４ＧＨｚ帯：Industry Science Medical band）での無線通信手段であれば，免許なしで無線通信を行うことができるので利用しやすい。
また，前記通信設定情報は，当該携帯通信に入力手段を設けて設定可能とすることも考えられるが，より小型化，省電力化を図るため，前記通信設定情報を前記第１の通信手段を介して前記端末装置から取得して前記通信設定情報記憶手段に記憶させる設定情報取得手段を具備するものとして構成することが考えられる。
【発明の効果】
【０００９】
本発明によれば，モバイル通信における基地局装置と端末装置との間でのコンテンツデータの送受信において，コンテンツデータを一時蓄積（記憶）することによって中継し，基地局装置及び端末装置それぞれとの通信が可能なときにコンテンツデータを送受信することにより，利用者が当該携帯通信装置を携帯して移動中に基地局装置との通信が自動的に実行されるので，パソコン等の端末装置の使用場所の制約による不便さが解消されるとともに，通信に要する利用者の待ち時間を短縮する（無くす）ことが可能となる。
【発明を実施するための最良の形態】
【００１０】
以下添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の実施の形態に係る携帯通信装置Ｘの概略構成を表すブロック図，図２は本発明の実施の形態に係る携帯通信装置Ｘにおける通信制御処理の手順を表すフローチャート，図３は本発明の実施例に係る携帯通信装置Ｘ１の概略構成を表すブロック図である。
【００１１】
まず，図１を用いて，本発明の実施の形態に係る携帯通信装置Ｘの構成について説明する。
本携帯通信装置Ｘは，携帯可能に構成された通信装置であり，モバイル通信におけるアクセスポイント（公衆無線スポット）や駅等に設置されて無線通信或いは有線通信により音楽データ等のコンテンツデータを配信する情報キオスク等の基地局装置２０，及びパーソナルコンピュータ等の情報端末３０（端末装置）それぞれとの間で通信を行い，前記基地局装置と前記情報端末との間でのコンテンツデータ（電子メール，ホームページ，音楽データ等）の送受信を，そのコンテンツデータを一時蓄積（記憶）することによって中継するものである。
【００１２】
図１に示すように，本携帯通信装置Ｘは，前記基地局装置２０（無線基地局）との通信及び前記情報端末３０との通信に関する通信設定情報を記憶する通信設定情報記憶手段１５と，前記通信設定情報に基づいて前記基地局装置３０との間で無線により通信を行う無線通信手段（前記第１の通信手段の一例）と，前記通信設定情報に基づいてパーソナルコンピュータ等の前記情報端末３０（前記端末装置の一例）との間で有線接続により通信を行う有線通信手段（前記第２の通信手段の一例）と，前記基地局装置２０及び前記情報端末３０との間で送受信されるコンテンツデータを一時記憶するデータ記憶手段１６と，マイコン及びその周辺装置（ＲＯＭ，ＲＡＭ等）からなり当該携帯通信装置Ｘ全体の各種制御を行う制御手段１４と，当該携帯通信装置Ｘを構成する各手段（各機器）に電力を供給するバッテリー（内蔵電池）である電力供給手段１７（電源）と，前記基地局装置２０や前記情報端末３０との通信結果に関する情報を表示するＬＥＤ或いはＬＣＤ，及び当該携帯通信装置Ｘに対する各種操作入力（電源入り／切り，手動による通信開始操作等）を行うためのスライドスイッチやジョグキー或いはプッシュボタン等を具備するユーザインターフェース（Ｉ／Ｆ）手段１３とを具備している。
【００１３】
前記無線通信手段１１は，ＩＳＭ帯（２．４ＧＨｚ帯）の無線電波を用いてＩＥＥＥ８０２．１１ｂに準拠するＤＳＳＳ方式の無線ＬＡＮ通信を行うとともに，不図示のアンテナにより受信された電波の強度（以下，受信電界強度という）を検出し，その検出結果を前記制御手段１４に出力するものである。無線ＬＡＮの通信方式としては，上記の他にも，ＩＥＥＥ８０２．１１ａ，１１ｂに準拠するＯＦＤＭ方式の無線ＬＡＮ通信やＢｌｕｅｔｏｏｔｈ通信方式に準拠するＦＨＳＳ方式の無線ＬＡＮ通信等が考えられる。
前記有線通信手段１２は，前記情報端末３０が備えるＵＳＢインターフェースやＰＣＭＣＩＡインターフェース，或いはＰＣＩバス，ＩＥＥＥ１３９４，ＲＳ２３２Ｃ，ＲＳ４２２等のインターフェースに準拠し，該インターフェースを介して前記情報端末３０と所定の通信線で接続されているときに，所定の通信プロトコルに従って前記情報端末３０と通信を行うものである。さらに，前記有線通信手段１２は，前記情報端末３０との間の通信線の接続抵抗値を検出し，その検出結果を前記制御手段１４に出力する。
前記通信設定情報記憶手段１５は，比較的小容量のフラッシュＲＯＭ等の不揮発性メモリからなり，前記無線通信手段１１による無線ＬＡＮ通信を確立するために必要な通信プロトコルの種類情報（ＴＣＰ／ＩＰ，ＵＤＰ，ＰＰＰ，ＨＴＴＰ，ＳＭＴＰ，ＰＯＰ３，ＩＭＡＰ等）や，ネットワーク設定情報（ＩＰアドレス，デフォルトゲートウェイ，各種サーバのＩＰアドレス等），ユーザ情報（ユーザＩＤ，パスワード等）や，アクセス先の情報（ＵＲＬ等）等の通信設定情報が格納される。前記通信設定情報記憶手段１５は，それに記憶される前記通信設定情報の情報量が比較的少なくそのアクセス及び更新の頻度も低いので，高速性は要求されない一方，消失すると再設定が手間であるため，比較的低速ではあるが，電力供給が途絶えても記憶が維持されるよう，不揮発性メモリを用いている。
前記データ記憶手段１６は，比較的大容量のＳＲＡＭ，ＤＲＡＭ或いはＳＤＲＡＭ等の高速な揮発性メモリからなり，前記電力供給手段１７から常時，間欠的に給電されることによって数日間から数週間程度の間，データの記憶が保持されるものである。これにより，アクセス及び更新の頻度が高く，データ容量も大きくなりがちなコンテンツデータを高速に読み書きすることが可能である。
前記制御手段１４は，所定のプログラムを実行することによってＷｅｂサーバ機能を具現するものであり，該Ｗｅｂサーバ機能により，前記情報端末３０で実行されるＷｅｂブラウザ（のプログラム）からのアクセスに応答し，前記通信設定情報記憶手段１５内の前記通信設定情報の送信及び更新（前記設定情報取得手段の一例），前記データ記憶手段１６へのコンテンツデータ（送信メール等）の格納及び，前記データ記憶手段１６内のコンテンツデータ（受信メールや音楽データ等）の送信を行う。
さらに，前記制御手段１４は，前記無線通信手段１１を介して，前記基地局装置２０のさらに上位側（基幹側）に接続されているインターネット上のサーバ（前記通信設定情報により指定されたＵＲＬが設定されたサーバ）に対してＨＴＴＰやＦＴＰ，ＰＯＰ３，ＳＭＴＰ等のプロトコルを用いてアクセスし，ホームページや音楽データ，電子メール（受信メール）等のコンテンツデータを取得してこれを前記データ記憶手段１６に格納する処理，さらには，前記情報端末３０から取得して前記データ記憶手段１６に格納されているコンテンツデータ（送信メール等）を前記サーバに送信（転送）する処理を実行する。
【００１４】
当該携帯通信装置Ｘは，通常は，利用者によって当該装置Ｘが単独で（前記情報端末３０と接続せずに）携帯され，その間に通信可能な前記基地局装置２０に対して自動的に通信接続を確立し，コンテンツデータの取得（受信）と前記データ記憶手段１６への格納及び前記データ記憶手段１６に格納されているコンテンツデータの送信を行う。また，利用者によって所定の通信線で前記情報端末３０に接続されることにより，前記情報端末３０との通信を確立して前記情報端末３０による前記データ記憶手段１６へのアクセスを可能とする。
【００１５】
次に，図２のフローチャートを用いて，前記制御手段１４により制御される通信制御処理の手順について説明する。以下，Ｓ１１，Ｓ１２，…は処理手順（ステップ）の番号を表す。
当該携帯通信装置Ｘの電源がＯＮされると，前記無線通信手段１１により前記受信電界強度が検出（測定）され（Ｓ１１），前記制御手段１４によって前記受信電界強度が所定の設定強度（しきい値）以上であるか否かが判別（しきい値判定）される（Ｓ１２）。
ここで，前記受信電界強度が前記設定強度未満である場合には，前記基地局装置２０との通信が不可能であるとしてＳ１１へ戻って処理が繰り返される。
一方，前記受信電界強度が前記設定強度以上であると判別された場合，前記基地局装置２０との通信が可能であるため，前記無線通信手段１１を制御することにより，前記通信設定情報に基づく前記基地局装置２０との通信を確立するための処理（通信設定処理）が自動的に実行される（Ｓ１３）。
次に，前記データ記憶手段１６の所定の送信フォルダ内に電子メールデータ（送信メール）が格納されている場合には，前記無線通信手段１１を制御してＳＭＴＰを用いることにより，その電子メールデータ（コンテンツ）を，前記基地局装置２０の上位側のインターネット上の所定の送信メールサーバ（前記通信設定情報で指定されたサーバ）に対して送信する（Ｓ１４）。このとき，前記基地局装置２０への送信が完了した（送信済みの）コンテンツデータは，前記データ記憶手段１６から消去される。
次に，前記無線通信手段１１を制御してＰＯＰ３或いはＩＭＡＰを用いることにより，インターネット上の所定の受信メールサーバ（前記通信設定情報で指定されたサーバ）にアクセスし，受信メールが到着している場合には，その電子メールデータ（コンテンツ）を受信して前記データ記憶手段１６の受信メールフォルダに格納する（Ｓ１５）。
さらに，前記無線通信手段１１を制御してＨＴＴＰやＦＴＰ等を用いることにより，インターネット上の所定のサーバから或いは通信相手が前記情報キオスクである場合にはその情報キオスクから，前記通信設定情報で指定されたホームページや音楽データ等のコンテンツを受信して前記データ記憶手段１６の所定の受信フォルダに格納する（Ｓ１６）。
最後に，前記制御手段１４により，Ｓ１４〜Ｓ１６での通信結果の情報を前記ユーザＩ／Ｆ１３に表示（Ｓ１７）させた後，Ｓ１１へ戻って前述した処理が所定の周期で繰り返される。
ここで，前記ユーザＩ／Ｆ１３（前記基地局通信結果表示手段の一例）への表示は，例えば，受信メールの取得及び前記データ記憶手段１６への格納があった場合に，所定のＬＥＤを点滅させる，或いは送信メール等のコンテンツデータの送信が正常に行われた場合に，点灯（送信メールありを表す）していたＬＥＤを消灯させる等である。
また，前記制御手段１４は，前記ユーザＩ／Ｆ手段１３から所定の手動実行の操作入力があった場合には，これに応じてＳ１３〜Ｓ１７の処理を実行する。
【００１６】
また，Ｓ１１〜Ｓ１７の処理（前記基地局装置２０との通信制御）と並行して（マルチタスクで），以下に示す前記情報端末３０との通信制御も実行される。
まず，前記有線通信手段１２により前記情報端末３０との間の通信線の接続抵抗値が検出（測定）され（Ｓ２１），前記制御手段１４によって前記接続抵抗値が所定の設定抵抗値（しきい値）未満であるか否かが判別（しきい値判定）される（Ｓ２２）。
ここで，前記接続抵抗値が前記設定抵抗値以上である場合には，前記情報端末３０との通信が不可能である（通信線が接続されていない）としてＳ２１へ戻って処理が繰り返される。
一方，前記接続抵抗値が前記設定抵抗値未満であると判別された場合，前記情報端末３０との通信が可能であるため，前記有線通信手段１２を制御することにより，前記通信設定情報に基づいて前記データ記憶手段１６への通信アクセス（データの読み書き）を前記情報端末３０に許可する（前記情報端末３０からの指令に応じて前記データ記憶手段１６内のデータの読み出しとそのデータの前記情報端末３０への送信，及び前記情報端末３０からのデータ受信とそのデータの前記データ記憶手段１６への書き込みを行う）ための処理（通信設定処理）が自動的に実行される（Ｓ２３）。
さらに，前記情報端末３０からのアクセスを受けることにより，前記情報端末３０から受信したコンテンツデータ（送信メール等）の前記データ記憶手段１６への格納（書き込み）と，前記データ記憶手段１６内のコンテンツデータ（受信メール等）の読み出し及び前記情報端末３０への送信とが実行される（Ｓ２４）。このとき，前記情報端末３０へ転送（送信）済みのコンテンツデータについては，前記情報端末３０からの指令に応じて，或いは転送後自動的に前記データ記憶手段１６から消去される。このとき，前記情報端末３０において，前記通信設定情報の更新操作（設定入力操作）がなされた場合には，前記通信設定情報記憶手段１５内のデータ更新処理も行われる。
そして，前記制御手段１４により，Ｓ２４での通信結果の情報を前記ユーザＩ／Ｆ１３へ表示（Ｓ２５）させた後，Ｓ２１へ戻って前述した処理が所定の周期で繰り返される。
ここで，前記ユーザＩ／Ｆ１３への表示は，例えば，送信メールの取得及び前記データ記憶手段１６への格納があった場合に，所定のＬＥＤを点灯させる，或いは受信メール等のコンテンツデータが正常に前記情報端末３０に転送（送信）された場合に，点滅（受信メールありを表す）していたＬＥＤを消灯させる等である。
また，前記制御手段１４は，前記ユーザＩ／Ｆ手段１３から所定の手動実行の操作入力があった場合には，これに応じてＳ２３〜Ｓ２５の処理を実行する。
【００１７】
以上のような通信制御により，前記有線通信手段１２による通信が可能なときに該有線通信手段１２を介して前記情報端末３０と前記データ記憶手段１６との間でコンテンツデータの伝送処理が行われ，さらに，前記無線通信手段１１による通信が可能なときに該無線通信手段１１を介して前記基地局装置２０と前記データ記憶手段１６との間でコンテンツデータの伝送処理が行われることになる。
その結果，前記情報端末３０の利用者は，前記情報端末３０を利用できる任意の場所で該情報端末３０と携帯通信装置Ｘとを接続し，予め前記通信設定情報として前記基地局装置２０を介して取得したいコンテンツデータの取得先等に関する情報を設定し，また，携帯通信装置Ｘ（の前記データ記憶手段１６）に前記基地局装置２０を介して送信したいコンテンツデータを転送しておけば，携帯通信装置Ｘを携帯して移動している間に，所望のコンテンツデータの取得（前記データ記憶手段１６へのダウンロード）及び作成したコンテンツデータの送信が自動的になされる。従って，基地局装置２０と通信可能な場所において情報端末３０を使用できるテーブル等の使用場所を探さなければならないという従来の不便が解消される。
また，利用者が情報端末３０を使用したい（使用できる）ときに基地局装置２０が最寄りに存在しない場合や，出先で情報端末３０を使用できる建物の中等で無線電波が届かない場合であっても，当該携帯通信装置Ｘを携帯しての移動経路の近くに基地局装置２０が存在すればコンテンツデータの送受信が自動的になされるので，利用者が情報端末３０を使用したい（できる）場所で基地局装置２０にアクセスできないという従来のミスマッチの問題が解消される。
さらに，情報端末３０の使用場所を確保して該情報端末３０を起動した時点では，既に基地局装置２０との間でのコンテンツデータの送受信は終了しているので，利用者にとって無駄な待ち時間が生じるという従来の問題が解消される。
【実施例】
【００１８】
次に，図３を用いて，前記携帯通信装置Ｘに，省電力化のための構成を加えた実施例である携帯通信装置Ｘ１について説明する。
本発明に係る携帯通信装置（Ｘ，Ｘ１）は，当該装置単独で携帯されるため，前記電力供給手段１７（バッテリ）の持続時間が短いと利便性が損なわれる。このため，前記電力供給手段１７の持続時間を長くすることが重要となる。
本携帯通信装置Ｘ１は，前記携帯通信装置Ｘに以下の２つの要素を加えたものであり，以下に示すもの以外は前記携帯通信装置Ｘと同じ構成及び機能を有する。
その追加要素の１つは，前記有線通信手段１２に前記情報端末３０が接続されている場合に，その通信線を介して前記情報端末３０（外部）から電力供給を受けて当該携帯通信装置Ｘ１を構成する各手段に電力を供給する電源変換回路１８（前記受電手段の一例）である。さらにこの電源変換回路１８は，前記電力供給手段１７（バッテリ）に接続され，前記情報端末３０からの受電電力によって前記電力供給手段１７を充電するよう回路が構成されている。
これにより，前記電力供給手段１７の持続時間を長くすることができる。
さらに，追加要素の２つ目は，リアルタイムクロック等により時間を計時し，予め設定された所定の時間帯（以下，停止時間帯という）である場合に，その停止時間帯である旨の信号を出力する時刻出力手段１９である。該時刻出力手段１９の出力信号（計時結果）は前記無線通信手段１１への給電経路上に設けられた不図示のスイッチと前記制御手段１４とに入力され，前記停止時間帯である旨の信号が出力されている間は，前記無線通信手段１１（前記受信電界強度の検出部を含む）への給電が前記スイッチにより停止されるとともに，前記制御手段１４による通信に関する処理（図２におけるＳ１１〜Ｓ１７の処理）が停止（スキップ）される。ここで，前記停止時間帯の設定は，例えば，前記情報端末３０と接続されている場合に，前記制御手段１４のＷｅｂサーバ機能により，前記情報端末３０のＷｅｂブラウザからの要求に応じて前記停止時間帯の設定ページを返信し，該停止時間帯の設定ページで設定された時刻情報を取得して前記時刻出力手段１９に設定すること等が考えられる。もちろん，前記ユーザＩ／Ｆ手段１３から入力するよう構成してもよい。
これにより，利用者が当該携帯通信装置Ｘ１を携帯して移動しない時間帯（例えば，深夜）を前記停止時間帯として設定しておけば，無駄な電力消費が抑えられ，前記電力供給手段１７の持続時間を長くすることができる。
【００１９】
以上示した前記携帯通信装置（Ｘ，Ｘ１）では，前記基地局装置２０との通信手段が無線通信手段であるが，これに限るものでなく，例えば，前記基地局装置２０が，ＵＳＢインターフェースを備える情報キオスク等であれば，これに対応する有線通信手段（ＵＳＢインターフェース）とすることも考えられる。この場合，例えば，前記有線通信手段１２を前記基地局装置２０との通信手段としても兼用し，前記ユーザＩ／Ｆ手段１３により，いずれを通信相手とするかを切り替え可能に構成することも考えられる。
同様に，前記携帯通信装置（Ｘ，Ｘ１）では，前記情報端末３０との通信手段が有線通信手段であるが，例えば，前記情報端末２０が無線ＬＡＮやBluetooth等の無線通信インターフェースを備えるものであれば，これに対応する無線通信手段とすることも考えられる。この場合も，例えば，前記無線通信手段１２を前記情報端末３０との通信手段としても兼用し，前記ユーザＩ／Ｆ手段１３により，いずれを通信相手とするかを切り替え可能に構成することが考えられる。
また，前記携帯通信装置（Ｘ，Ｘ１）では，前記無線通信手段１２がＩＳＭ帯での無線通信手段であったが，これに限るものでなく，例えば５ＧＨｚ帯等の他の周波数帯域の電波通信を行うものや，光通信を行うもの等も考えられる。
さらに，前記通信設定情報記憶手段１５及び前記データ記憶手段１６は，フラッシュメモリ等の１つの記憶手段で構成してもよい。
【産業上の利用可能性】
【００２０】
本発明は，モバイル通信における基地局装置と端末装置との間でのコンテンツデータの送受信を行うシステム等への利用が可能である。
【図面の簡単な説明】
【００２１】
【図１】本発明の実施の形態に係る携帯通信装置Ｘの概略構成を表すブロック図。
【図２】本発明の実施の形態に係る携帯通信装置Ｘにおける通信制御処理の手順を表すフローチャート。
【図３】本発明の実施例に係る携帯通信装置Ｘ１の概略構成を表すブロック図。
【符号の説明】
【００２２】
１１…無線通信手段（第１の通信手段）
１２…有線通信手段（第２の通信手段）
１３…ユーザインターフェイス（基地局通信結果表示手段）
１４…制御手段
１５…通信設定情報記憶手段
１６…データ記憶手段
１７…電力供給手段（電源）
１８…電源変換回路（受電手段）
１９…時刻出力手段（計時手段）
２０…基地局装置
３０…情報端末（端末装置）
Ｓ１１，Ｓ１２，，，…処理手順（ステップ）
【図１】
2005057587.tif 000003
【図２】
2005057587.tif 000004
【図３】
2005057587.tif 000005